(57)【要約】【課題】端末からの接続要求を受けるサーバが、過負荷状況となる課題を解決し、接続待ちの端末に、接続待ちの状況を通知することができるネットワークシステム、その受付サーバ及びネットワーク通信システムを提供することを目的とする。【解決手段】ネットワークに接続される端末と、そのネットワークを介してその端末からの接続要求を受け付ける受付サーバ及びこの受付サーバにより接続が許可される端末が接続される業務サーバを有するサーバとを有するネットワークシステムにおいて、その受付サーバは、サーバが過負荷にならない範囲で、端末と業務サーバとを接続する手段と、接続待ちの端末に対し接続待ち状況を通知する手段を備えたことを特徴とする。【選択図】図１
2007249846.tif 000002
【特許請求の範囲】
【請求項１】
ネットワークと、そのネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の番号が業務サーバへの接続が許可される範囲内の場合は前記業務サーバに接続する業務サーバ接続部と、この比較部の比較により接続要求端末の番号が業務サーバへの接続が許可される範囲外の場合は業務サーバへの接続待ちの状態であることを接続要求端末に通知する送信部と、を備え、前記端末は、前記送信部からの接続待ちの状態であることを表示する表示部を備えることを特徴とするネットワークシステム。
【請求項２】
ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の番号が業務サーバへの接続が許可される範囲内の場合は前記業務サーバに接続する業務サーバ接続部と、この比較部の比較により接続要求端末の番号が業務サーバへの接続が許可される範囲外の場合は業務サーバへの接続待ちの状態であることを接続要求端末に通知する送信部と、を備え、前記端末は、前記送信部からの接続待ちの状態であることを表示する表示部を備えることを特徴とするネットワークシステム。
【請求項３】
ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、
その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の数が業務サーバへの接続が許可される数以下の場合は前記業務サーバに接続する業務サーバ接続部と、この比較部の比較により接続要求端末の数が業務サーバへの接続が許可される数を超える場合は業務サーバへの接続待ちの状態であることを接続要求端末に通知する送信部と、を備え、前記端末は、前記送信部からの接続待ちの状態であることを表示する表示部を備えることを特徴とするネットワークシステム。
【請求項４】
ネットワークに接続される複数のウエッブブラウザを搭載する端末と、そのネットワークを介してその端末からの接続要求を受付けるウエッブサーバから成る受付サーバ及びバックエンドの業務サーバを有するサーバとを備えるネットワークシステムにおいて、前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うか決める境界番号記憶部と、前記業務サーバへの接続数をリアルタイムに管理するカウンタ部と、そのカウンタ部が管理する業務サーバへの接続数が所定の数を下回っている場合はその境界番号記憶部の境界番号を大きくする接続数管理部と、前記端末識別番号を割当てた端末の番号と前記境界番号記憶部の境界番号を比較する比較部と、この比較部の比較により接続要求端末の数が業務サーバへの接続が許可される数以下の場合は前記業務サーバへ送り込む処理をする業務サーバ向け処理部と、この比較部の比較により接続要求端末の数が業務サーバへの接続が許可される数を超える場合は業務サーバへの接続待ちの状態であることを接続要求端末に通知する送信部と、を備えることを特徴とするネットワークシステム。
【請求項５】
ネットワークに接続される複数のウエッブブラウザを搭載する端末と、そのネットワークを介してその端末からの接続要求を受付けるウエッブサーバから成る受付サーバ及びバックエンドの業務サーバを有するサーバとを備えるネットワークシステムにおいて、前記受付サーバは、その端末のそれぞれを識別するために接続要求順に端末識別符号を割当てる端末符号割当部と、その割当てられた端末識別符号のうち現在何番までの端末に対し業務サーバへの接続許可を行うか決める境界番号記憶部と、前記業務サーバへの接続数をリアルタイムに管理するカウンタ部と、そのカウンタ部が管理する業務サーバへの接続数が所定の数を下回っている場合はその境界番号記憶部の境界番号を大きくする接続数管理部と、前記端末識別符号を割当てた端末の番号と前記境界番号記憶部の境界番号を比較する比較部とを備え、この比較部の比較により接続要求端末の番号が業務サーバへの接続が許可される範囲内の場合は前記業務サーバへ送り込む処理を行い、この比較部の比較により接続要求端末の番号が業務サーバへの接続が許可される範囲外の場合は、業務サーバへの接続待ちの状態であることを接続要求端末に通知することを特徴とするネットワークシステム。
【請求項６】
ネットワークに接続される複数のウエッブブラウザを搭載する端末と、そのネットワークを介してその端末からの接続要求を受付けるウエッブサーバから成る受付サーバ及びこの受付サーバにて接続が許可された接続要求端末のみが接続される業務サーバを有するサーバとを備えるネットワークシステムにおいて、前記受付サーバは、その端末のそれぞれを識別するために接続要求順に端末識別符号を割当てる端末符号割当部と、その割当てられた端末識別符号のうち現在何番までの端末に対し業務サーバへの接続許可を行うかの番号を指定する境界番号指定部と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別符号を割当てた端末の番号と前記境界番号指定部の境界番号を比較する比較部とを備え、この比較部の比較により接続要求端末の番号が業務サーバへの接続が許可される範囲内の場合はその接続要求端末を前記業務サーバに接続する業務サーバに接続し、この比較部の比較により接続要求端末の番号が業務サーバへの接続が許可される範囲外の場合は、業務サーバへの接続待ちの状態であることを接続要求端末に通知することを特徴とするネットワークシステム。
【請求項７】
ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに用いる前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の番号が業務サーバへの接続が許可される範囲内の場合は前記業務サーバに接続する業務サーバ接続部と、この比較部の比較により接続要求端末の番号が業務サーバへの接続が許可される範囲外の場合は業務サーバへの接続待ちの状態であることを接続要求端末に通知する送信部と、を備えることを特徴とする受付サーバ。
【請求項８】
ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに用いる前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の数が業務サーバへの接続が許可される数以下の場合は前記業務サーバに接続する業務サーバ接続部と、この比較部の比較により接続要求端末の数が業務サーバへの接続が許可される数を超える場合は業務サーバへの接続待ちの状態であることを接続要求端末に通知する送信部と、を備えることを特徴とする受付サーバ。
【請求項９】
ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに用いる前記受付サーバは、その端末のそれぞれを識別するために接続要求順に端末識別番号を昇順に割当てる端末番号割当ステップと、その割当てられた端末識別番号のうち現在何番までの端末に対し業務サーバへの接続許可を行うかの番号を指定する境界番号指定ステップと、前記業務サーバへの接続数をリアルタイムに管理するカウンタステップと、そのカウンタ部が管理する業務サーバへの接続数が所定の数を下回っている場合はその境界番号指定部の境界番号を大きくする接続数管理ステップと、前記端末識別番号を割当てた端末の番号と前記境界番号指定部の境界番号を比較する比較ステップと、この比較部の比較により接続要求端末の番号が業務サーバへの接続が許可される範囲内の場合は前記業務サーバに接続する業務サーバ接続ステップと、この比較部の比較により接続要求端末の番号が業務サーバへの接続が許可される範囲外の場合は業務サーバへの接続待ちの状態であることを接続要求端末に通知する送信ステップと、を備えることを特徴とするネットワーク通信方法。
【請求項１０】
ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当ステップと、その割当てられた端末識別番号のうち現在何番までの端末に対し業務サーバへの接続許可を行うかの番号を指定する境界番号指定ステップと、前記業務サーバへの接続数をリアルタイムに管理するカウンタステップと、そのカウンタ部が管理する業務サーバへの接続数が所定の数を下回っている場合はその境界番号指定部の境界番号を大きくする接続数管理ステップと、前記端末識別番号を割当てた端末の番号と前記境界番号指定部の境界番号を比較する比較ステップと、この比較部の比較により接続要求端末の数が業務サーバへの接続が許可される数以下の場合は前記業務サーバに接続する業務サーバ接続ステップと、この比較部の比較により接続要求端末の数が業務サーバへの接続が許可される数を超える場合は業務サーバへの接続待ちの状態であることを接続要求端末に通知する送信ステップと、を備えることを特徴とするネットワーク通信方法。
【発明の詳細な説明】
【技術分野】
【０００１】
本発明は、ネットワークと、そのネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに関する。
【背景技術】
【０００２】
従来、インターネットを使用するネットワークシステムでは、端末がパーソナルコンピュータやモバイル機器などであり、一般的には、自端末以外の端末が周囲になく、システムが繁忙であるか否かの状態が端末の使用者からは直接見えないため不明である。このため、端末がサーバに直ちに接続されない場合、待ち時間の長さ、あるいは、障害による無応答なのかどうかが、端末使用者には判断しにくかった。
【０００３】
例えば、インターネットバンキングによる送金期限のある振込み送金手続（特に月末は非常に混雑している）においては、システムが繁忙等で端末がサーバに接続できない場合は、期限内に送金する必要があるため、代替え手段である銀行の振込取扱窓口にて又は銀行内オンライン端末にて手続をする手段に早期に移行しなければならないが、従来の端末を含むインターネットシステムでは、この判断をする出来事（イベント）がなく不便であった。そして、インターネット端末使用者には、サーバからの応答待ちに対する不安やストレスが生ずるという問題があった。
【０００４】
この改善策として、本発明は、サーバ全体の過負荷を改善するために受付サーバを利用する。
このサーバの過負荷を改善するための受付サーバについては、特開２００５-２３４７５５号特許公報に開示されている(特許文献１)。
【特許文献１】特開２００５-２３４７５５号特許公報
【発明の開示】
【発明が解決しようとする課題】
【０００５】
本発明は、従来のインターネット等による上記の問題を解決し、端末からからの接続要求を受けるサーバの過負荷を防止し、端末からの接続要求順にサーバに接続できると共に、サーバが過負荷状況の場合は、接続待ちの状況を接続要求端末に通知することができるネットワークシステム、ネットワークシステムのサーバ及びネットワーク通信方法を提供することを目的とする。
【課題を解決するための手段】
【０００６】
上記の課題を解決するために、本願の請求項１記載の発明は、ネットワークと、そのネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部（ポインター）と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の番号が業務サーバへの接続が許可される範囲内の場合は前記業務サーバに接続する業務サーバ接続部と、この比較部の比較により接続要求端末の番号が業務サーバへの接続が許可される範囲外の場合は業務サーバへの接続待ちの状態であることを接続要求端末に通知する送信部と、を備え、前記端末は、前記送信部からの接続待ちの状態であることを表示する表示部を備えることを特徴とする。
【０００７】
また、本願請求項２記載の発明は、ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部（ポインター）と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の番号が業務サーバへの接続が許可される範囲内の場合は前記業務サーバに接続する業務サーバ接続部と、この比較部の比較により接続要求端末の番号が業務サーバへの接続が許可される範囲外の場合は業務サーバへの接続待ちの状態であることを接続要求端末に通知する送信部と、を備え、前記端末は、前記送信部からの接続待ちの状態であることを表示する表示部を備えることを特徴とする。
【０００８】
また、本願請求項３記載の発明は、ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部（ポインター）と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の数が業務サーバへの接続が許可される数以下の場合は前記業務サーバに接続する業務サーバ接続部と、この比較部の比較により接続要求端末の数が業務サーバへの接続が許可される数を超える場合は業務サーバへの接続待ちの状態であることを接続要求端末に通知する送信部と、を備え、前記端末は、前記送信部からの接続待ちの状態であることを表示する表示部を備えることを特徴とする。
【０００９】
また、本願請求項４記載の発明は、ネットワークに接続される複数のウエッブブラウザを搭載する端末と、そのネットワークを介してその端末からの接続要求を受付けるウエッブサーバから成る受付サーバ及びバックエンドの業務サーバを有するサーバとを備えるネットワークシステムにおいて、
前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うか決める境界番号記憶部（ポインター）と、前記業務サーバへの接続数をリアルタイムに管理するカウンタ部と、そのカウンタ部が管理する業務サーバへの接続数が所定の数を下回っている場合はその境界番号記憶部の境界番号を大きくする接続数管理部と、前記端末識別番号を割当てた端末の番号と前記境界番号記憶部の境界番号を比較する比較部と、この比較部の比較により接続要求端末の数が業務サーバへの接続が許可される数以下の場合は前記業務サーバへ送り込む処理をする業務サーバ向け処理部と、この比較部の比較により接続要求端末の数が業務サーバへの接続が許可される数を超える場合は業務サーバへの接続待ちの状態であることを接続要求端末に通知する送信部と、を備えることを特徴とする。
【００１０】
また、本願請求項５記載の発明は、ネットワークに接続される複数のウエッブブラウザを搭載する端末と、そのネットワークを介してその端末からの接続要求を受付けるウエッブサーバから成る受付サーバ及びバックエンドの業務サーバを有するサーバとを備えるネットワークシステムにおいて、前記受付サーバは、その端末のそれぞれを識別するために接続要求順に端末識別符号を割当てる端末符号割当部と、その割当てられた端末識別符号のうち現在何番までの端末に対し業務サーバへの接続許可を行うか決める境界番号記憶部（ポインター）と、前記業務サーバへの接続数をリアルタイムに管理するカウンタ部と、そのカウンタ部が管理する業務サーバへの接続数が所定の数を下回っている場合はその境界番号記憶部の境界番号を大きくする接続数管理部と、前記端末識別符号を割当てた端末の番号と前記境界番号記憶部の境界番号を比較する比較部とを備え、この比較部の比較により接続要求端末の番号が業務サーバへの接続が許可される範囲内の場合は前記業務サーバへ送り込む処理を行い、この比較部の比較により接続要求端末の番号が業務サーバへの接続が許可される範囲外の場合は、業務サーバへの接続待ちの状態であることを接続要求端末に通知することを特徴とする。
【００１１】
また、本願請求項６記載の発明は、ネットワークに接続される複数のウエッブブラウザを搭載する端末と、そのネットワークを介してその端末からの接続要求を受付けるウエッブサーバから成る受付サーバ及びこの受付サーバにて接続が許可された接続要求端末のみが接続される業務サーバを有するサーバとを備えるネットワークシステムにおいて、前記受付サーバは、その端末のそれぞれを識別するために接続要求順に端末識別符号を割当てる端末符号割当部と、その割当てられた端末識別符号のうち現在何番までの端末に対し業務サーバへの接続許可を行うかの番号を指定する境界番号指定部（ポインター）と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別符号を割当てた端末の番号と前記境界番号指定部の境界番号を比較する比較部とを備え、この比較部の比較により接続要求端末の番号が業務サーバへの接続が許可される範囲内の場合はその接続要求端末を前記業務サーバに接続する業務サーバに接続し、この比較部の比較により接続要求端末の番号が業務サーバへの接続が許可される範囲外の場合は、業務サーバへの接続待ちの状態であることを接続要求端末に通知することを特徴とする。
【００１２】
また、本願請求項７記載の発明は、ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに用いる前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部（ポインター）と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の番号が業務サーバへの接続が許可される範囲内の場合は前記業務サーバに接続する業務サーバ接続部と、この比較部の比較により接続要求端末の番号が業務サーバへの接続が許可される範囲外の場合は業務サーバへの接続待ちの状態であることを接続要求端末に通知する送信部と、を備えることを特徴とする。
【００１３】
また、本願請求項８記載の発明は、ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに用いる前記受付サーバは、その端末のそれぞれを識別するために接続要求順に端末識別番号を昇順に割当てる端末番号割当部と、その割当てられた端末識別番号のうち現在何番までの端末に対し業務サーバへの接続許可を行うかの番号を指定する境界番号指定部（ポインター）と、前記業務サーバへの接続数をリアルタイムに管理するカウンタ部と、そのカウンタ部が管理する業務サーバへの接続数が所定の数を下回っている場合はその境界番号指定部の境界番号を大きくする接続数管理部と、前記端末識別番号を割当てた端末の番号と前記境界番号指定部の境界番号を比較する比較部と、この比較部の比較により接続要求端末の数が業務サーバへの接続が許可される数以下の場合は前記業務サーバに接続する業務サーバ接続部と、この比較部の比較により接続要求端末の数が業務サーバへの接続が許可される数を超える場合は業務サーバへの接続待ちの状態であることを接続要求端末に通知する送信部と、を備えることを特徴とする。
【００１４】
また、本願請求項９記載の発明は、ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムに用いる前記受付サーバは、その端末のそれぞれを識別するために接続要求順に端末識別番号を昇順に割当てる端末番号割当ステップと、その割当てられた端末識別番号のうち現在何番までの端末に対し業務サーバへの接続許可を行うかの番号を指定する境界番号指定ステップと、前記業務サーバへの接続数をリアルタイムに管理するカウンタステップと、そのカウンタ部が管理する業務サーバへの接続数が所定の数を下回っている場合はその境界番号指定部の境界番号を大きくする接続数管理ステップと、前記端末識別番号を割当てた端末の番号と前記境界番号指定部の境界番号を比較する比較ステップと、この比較部の比較により接続要求端末の番号が業務サーバへの接続が許可される範囲内の場合は前記業務サーバに接続する業務サーバ接続ステップと、この比較部の比較により接続要求端末の番号が業務サーバへの接続が許可される範囲外の場合は業務サーバへの接続待ちの状態であることを接続要求端末に通知する送信ステップと、を備えることを特徴とする。
【００１５】
また、本願請求項１０記載の発明は、ネットワークに接続される複数のウエッブブラウザを搭載する端末と、そのネットワークを介してその端末からの接続要求を受付けるウエッブサーバから成る受付サーバ及びこの受付サーバにより接続が許可される端末が接続される業務サーバを有するサーバとを備えるネットワークシステムにおいて、前記受付サーバは、その端末のそれぞれを識別するために接続要求順に端末識別番号を昇順に割当てる端末番号割当ステップと、その割当てられた端末識別番号のうち現在何番までの端末に対し業務サーバへの接続許可を行うかの番号を指定する境界番号指定ステップと、前記業務サーバへの接続数をリアルタイムに管理するカウンタステップと、そのカウンタ部が管理する業務サーバへの接続数が所定の数を下回っている場合はその境界番号指定部の境界番号を大きくする接続数管理ステップと、前記端末識別番号を割当てた端末の番号と前記境界番号指定部の境界番号を比較する比較ステップと、この比較部の比較により接続要求端末の数が業務サーバへの接続が許可される数以下の場合は前記業務サーバに接続する業務サーバ接続ステップと、この比較部の比較により接続要求端末の数が業務サーバへの接続が許可される数を超える場合は業務サーバへの接続待ちの状態であることを接続要求端末に通知する送信ステップと、を備えることを特徴とするネットワーク通信方法。
【発明の効果】
【００１６】
上述したごとく、本発明によれば、端末からからの接続要求を受けるサーバの過負荷を防止し（サーバが過負荷となってスローダウンやメルトダウンすることを防ぐ）、端末からの接続要求順にサーバに接続できると共に、サーバが過負荷状況の場合は、接続待ちの状況を端末に通知することができるネットワークシステム、その受付サーバ及びサーバネットワーク通信方法を提供することができる。
【００１７】
換言すると、インターネット等の端末使用者はサーバの能力劣化の影響で、業務ができなくなることを回避でき、待ちの度合いを把握できることによりストレスが緩和される。特に、業務実行時刻に締め切りがあるシステムにおいて、締め切り時刻までに業務が遂行できるかどうか早期に判断できるため（例えば、混雑している月末のインターネットによる銀行振込手続において、送金時刻までに振込みが遂行できるか否かの判断が早期にできるため）、業務遂行が不可能となってしまう際の対処策も早くとれるインターネットやイントラネット等のＷｅｂブラウザを用いたネットワークシステム及びネットワークシステムのサーバを提供することができる。
【発明を実施するための最良の形態】
【００１８】
以下、本発明の実施の形態を図面に基づいて説明する。
図１は、本発明の一実施例であるネットワークシステムの概要を示す図である。
図１において、１００は、ネットワークで、インターネット、イントラネット（LAN）等の通信網である。
１１０は、ネットワーク１００に接続され、使用者（ユーザ）が使用する複数の端末である。この端末は、ウエッブ（Ｗｅｂ）ブラウザを搭載し、表示部を有しているパーソナルコンピュータや携帯電話等の情報処理装置である。
１２０は、受付サーバである。この、受付サーバ１２０は、端末からのフロントシステムで、端末１１０のウエッブブラウザからの要求を処理する要求受付サーバで、サーバ全体としての負荷を軽減する機能を持つ。
１３０は、業務サーバ（アプリケーションサーバ）で、受付サーバ１２０にて接続が許可された接続要求端末のみが接続される。
１４０は、データベースで、業務サーバと接続されている。
【００１９】
受付サーバ１２０は、端末番号割当部１２１、送信部１２２、業務サーバ接続部１２３、比較部１２４、カウンタ部１２５、接続数管理部１２６、境界番号指定部１２７を備えている。
端末番号割当部１２１は、接続(アクセス)要求のある端末のそれぞれを識別するために接続要求順に端末識別番号を昇順に割当てる（付与する）端末番号割当機能（手段）を備えている。
境界番号指定部１２７は、メモリーから成る数字を記憶するポインターであって、接続要求端末に割当てられた端末識別番号のうち現在何番までの端末に対し業務サーバへの接続許可を行うか指定して定める境界番号指定機能（手段）を有している。
カウンタ部１２５は、端末１１０と前記業務サーバ１３０との接続数をリアルタイムに管理する機能（手段）を備えている。
接続数管理部１２６は、そのカウンタ部１２５が管理する端末１１０と業務サーバ１３０との接続数が所定の数を下回っている場合はその境界番号指定部１２７の境界番号を大きくする接続数管理機能（手段）を備えている。
【００２０】
比較部１２４は、前記端末識別番号を割当てた端末の番号と前記境界番号指定部１２７の境界番号を比較する機能（手段）を備えている。
業務サーバ接続部１２３は、この比較部１２４の比較により、接続要求端末の番号又は数が業務サーバへの接続が許可される範囲内の場合又は接続要求端末の数が業務サーバへの接続が許可される数以下の場合は、その接続要求端末１１０を業務サーバ１３０に接続する機能（手段）を備えている。
送信部１２２は、比較部１２４の比較により、接続要求端末の番号又は数が業務サーバへの接続が許可される範囲外の場合又は接続要求端末１１０の数が業務サーバ１３０への接続が許可される数を超える場合は、業務サーバ１３０への接続待ちの状態であることとその待ち度合いを接続要求端末に通知する送信機能（手段）を備えている。
【００２１】
図２は、受付サーバ１２０が、端末１１０から接続要求を受け付けて、接続要求端末１１０を業務サーバ１３０へ接続するとき又は端末１１０に接続の待合状況を通知するときの制御の処理フロー図である。
図２において、２００は受付サーバ１２０が端末１１０と通信を開始する端末接続（アクセス）ステップ、２０１は受付サーバ１２０が端末１１０の識別番号を割当てる（付与、発行する）ステップ、２０２は受付サーバ１２０の比較部１２４が端末識別番号と境界番号との比較をして受付サーバ１２０に接続してきた端末１１０を業務サーバ１４０へ接続許可範囲か否かについて判定をするステップ、２０３は受付サーバ１２０が業務サーバ１３０への接続を許可される端末１１０の要求を業務サーバ１３０へ接続するステップ、２０４は受付サーバ１２０が業務サーバ１３０への接続がまだ許可されない端末１１０に業務サーバ１３０への接続の待合状況を通知するステップである。
【００２２】
図３は、接続要求端末の業務サーバへ接続許可する判定基準を業務サーバの負荷に応じて更新するフロー図である。
図３において、３００は受付サーバ１２０の端末番号割当部１２１により割当てた端末識別番号、その数又は端末識別番号の最大値と業務サーバ１３０への接続許可する境界番号指定部１２７が記憶している境界番号又はその数を比較するステップ、３０１は業務サーバ１３０と端末１１０との現状接続数を受付サーバ１２０のカウンタ部１２５により取得するステップ、３０２は取得した業務サーバ１３０と端末１１０との現状接続数と予め業務サーバの能力により定めた安定接続数との比較をするステップ、３０３は端末１１０の業務サーバ１３０への接続数が予め業務サーバの能力により定めた安定接続数より少ない場合は、業務サーバ１３０への接続を許可する境界番号指定部１２７が記憶している境界番号を大きく指定する（端末識別番号のポインターを進める）ステップである。この境界番号は、業務サーバの負荷に応じて常時更新される。
【００２３】
次に、図に基づき、端末１１０は、サーバに接続要求をし、サーバが混雑している場合、接続待ち状況であることの通知を受け、サーバが過負荷状態となるのを防止することについて説明する。
先ず、図１の端末１００と受付サーバ１２０の間で通信を開始する。
端末１１０の端末番号割当部１２１は、新規に接続（アクセス）してきた端末１００に接続要求順に端末識別番号を昇順に割当てていく。
端末識別番号と接続許可識別番号である境界番号を比較する比較部１２４は、端末１１０に割当てられた端末識別番号とメモリーから成る境界番号指定部１２７が記憶している業務サーバ１３０への接続許可番号の境界番号とを比較する。
その比較の結果、境界番号の方が大きければ、接続要求端末１１０を業務サーバ１３０へ接続し、境界番号の方が小さければ端末１１０へ待合状況の通知を行う。
【図面の簡単な説明】
【００２４】
【図１】本発明の実施の形態を示すブロック図である。
【図２】業務サーバへの接続又は待合状況通知の制御処理フロー図である。
【図３】業務サーバへの接続許可の判定基準を負荷に応じて更新するフロー図である。
【符号の説明】
【００２５】
１００・・・ネットワーク、  １１０・・・端末、  １２０・・・受付サーバ
１２１・・・端末番号割当部、  １２２・・・送信部、
１２３・・・業務サーバ接続部、  １２４・・・比較部、
１２５・・・カウンタ部、  １２６・・・接続数管理部
１２７・・・境界番号指定部、  １３０・・・業務サーバ、
１４０・・・データベース
【図１】
2007249846.tif 000003
【図２】
2007249846.tif 000004
【図３】
2007249846.tif 000005